(57)【特許請求の範囲】
【請求項１】
ユーザーが操作するユーザー端末からの指示に基づいて、前記ユーザーが知識を有しているビジネス業界を選択する業界選択手段と、
前記業界選択手段によって選択された前記ビジネス業界を事業領域で細分化した第一の特定要素と、前記業界選択手段によって選択された前記ビジネス業界を業務機能で細分化した第二の特定要素とにより特定される複数の交流グループを設定する交流グループ設定手段と、
前記交流グループ設定手段によって設定された前記複数の交流グループに関する情報を前記ユーザー端末へ送信する交流グループ情報送信手段と、
前記ユーザー端末からの指示に基づいて、前記複数の交流グループの中から、前記ユーザーが参加を希望する交流グループを特定するグループ特定手段と、
前記グループ特定手段によって特定された前記交流グループへの参加者として、前記ユーザーを特定するための情報を記録装置に記録する情報記録手段とを備えることを特徴とするビジネス交流支援装置。
【請求項２】
請求項１に記載のビジネス交流支援装置において、
前記第一の特定要素と、前記第二の特定要素とにより特定される複数の交流グループを一覧表示するとともに、各交流グループへのユーザーの参加状況を示す情報を表示する一覧表示手段をさらに備えることを特徴とするビジネス交流支援装置。
【請求項３】
請求項２に記載のビジネス交流支援装置において、
前記一覧表示手段は、前記第一の特定要素を横軸に配置し、前記第二の特定要素を縦軸に配置した表形式の一覧画面を表示し、前記一覧画面上の前記第一の特定要素と前記第二の特定要素とが交わるセルに、前記第一の特定要素と前記第二の特定要素とによって特定される前記交流グループを割り当てることにより、前記複数の交流グループを一覧表示することを特徴とするビジネス交流支援装置。
【請求項４】
請求項３に記載のビジネス交流支援装において、
前記一覧表示手段は、各交流グループの参加ユーザー数に応じて、前記セルの表示形態を変更することにより、各交流グループへのユーザーの参加状況を示す情報を表示することを特徴とするビジネス交流支援装置。
【請求項５】
請求項３または４に記載のビジネス交流支援装において、
前記ユーザーによる前記セルの選択を受け付けるセル選択受付手段をさらに備え、
前記グループ特定手段は、前記セル選択手段によって選択が受け付けられたセルに対応する前記交流グループを、前記ユーザーが参加を希望する交流グループとして特定することを特徴とするビジネス交流支援装置。
【請求項６】
請求項５に記載のビジネス交流支援装において、
前記セル選択手段によって前記セルの選択が受け付けられたときに、前記セルに対応する前記交流グループの参加ユーザーを一覧表示する参加ユーザー一覧表示手段をさらに備えることを特徴とするビジネス交流支援装置。
【請求項７】
請求項６に記載のビジネス交流支援装置において、
前記参加ユーザー一覧表示手段によって表示された前記交流グループの参加ユーザーの中からユーザーによって選択されたユーザーに関する詳細情報を表示するユーザー情報表示手段をさらに備えることを特徴とするビジネス交流支援装置。
【請求項８】
請求項１〜７のいずれか一項に記載のビジネス交流支援装置において、
前記情報記録手段によって前記記録装置に記録された情報に基づいて、前記ユーザー端末に、該ユーザー端末を操作するユーザーが参加している前記交流グループの交流用画面を表示するための情報を送信する画面表示手段をさらに備えることを特徴とするビジネス交流支援装置。
【請求項９】
請求項８に記載のビジネス交流支援装置において、
前記ユーザーからの情報の投稿を受け付ける投稿受付手段をさらに備え、
前記画面表示手段は、前記投稿受付手段によって前記ユーザーからの投稿が受け付けられたときに、該ユーザーと同じ交流グループに参加している他のユーザーの前記交流用画面上に、前記ユーザーによって投稿された情報を表示することを特徴とするビジネス交流支援装置。
【請求項１０】
請求項８に記載のビジネス交流支援装置において、
前記交流グループの交流用画面上で、前記ユーザーから他の参加者への友達申請を受け付ける友達申請受付手段をさらに備え、
前記画面表示手段は、前記交流グループの参加者のうち、前記友達申請が承認されたユーザーによって投稿された情報のみを前記交流用画面に表示することを特徴とするビジネス交流支援装置。
【請求項１１】
請求項８〜１０のいずれか一項に記載のビジネス交流支援装置において、
前記交流グループの交流用画面上で、前記交流グループの参加ユーザー同士のチャット環境の提供、前記交流グループの参加ユーザー間でのＱ＆Ａ環境の提供、および前記交流グループに関連するニュースの提供の少なくとも１つを行う交流環境提供手段をさらに備えることを特徴とするビジネス交流支援装置。
【請求項１２】
請求項１〜１１のいずれか一項に記載のビジネス交流支援装置において、
前記交流グループごとに、その交流グループに参加しているユーザーが作成したレポートの配布または販売を行うレポート提供手段をさらに備えることを特徴とするビジネス交流支援装置。
【請求項１３】
請求項１〜１２のいずれか一項に記載のビジネス交流支援装置において、
前記交流グループごとに、その交流グループに関連する情報を提供するためのアプリケーションの配布または販売を行うアプリケーション提供手段をさらに備えることを特徴とするビジネス交流支援装置。
【請求項１４】
請求項１〜１３のいずれかに記載のユーザー端末と、請求項１〜１３のいずれかに記載のビジネス交流支援装置とを、通信回線を介して接続したビジネス交流支援システム。
【発明の詳細な説明】
【技術分野】
【０００１】
本発明は、ビジネス交流支援装置、およびビジネス交流支援システムに関する。
【背景技術】
【０００２】
次のような人脈ネットワーク拡大システムが知られている。この人脈ネットワーク拡大システムは、会員ごとに割り当てられたウェブページ内に該会員を介して利用可能な人脈の業種を示す一覧が表示されており、その中からいずれかの業種を選択すると、その会員を介して利用可能な人脈のうち、選択された業種において利用可能な人脈が表示される（例えば、特許文献１）。
【先行技術文献】
【特許文献】
【０００３】
【特許文献１】特開２００８−２６２２９６号公報
【発明の概要】
【発明が解決しようとする課題】
【０００４】
従来の人脈ネットワーク拡大システムは、業種単位で利用可能な人脈を検索するものであるが、業種による絞り込みだけでは、ユーザーが交流を希望する人物を探すのは困難である。すなわち、各業界に属する企業等は、様々な事業や業務を行っていることから、各人物がその業界内でどのような事業や業務に携わっているかにより、その人物が有している知識や経験は異なっている。したがって、従来の人脈ネットワーク拡大システムにおける人脈拡大の仕組みを、ビジネス交流の支援に活用したとしても、ユーザーは自身が交流を図りたい人物を探すことは困難である。
【課題を解決するための手段】
【０００５】
本発明によるビジネス交流支援装置は、ユーザーが操作するユーザー端末からの指示に基づいて、ユーザーが知識を有しているビジネス業界を選択する業界選択手段と、業界選択手段によって選択されたビジネス業界を事業領域で細分化した第一の特定要素と、業界選択手段によって選択されたビジネス業界を業務機能で細分化した第二の特定要素とにより特定される複数の交流グループを設定する交流グループ設定手段と、交流グループ設定手段によって設定された複数の交流グループに関する情報をユーザー端末へ送信する交流グループ情報送信手段と、ユーザー端末からの指示に基づいて、複数の交流グループの中から、ユーザーが参加を希望する交流グループを特定するグループ特定手段と、グループ特定手段によって特定された交流グループへの参加者として、ユーザーを特定するための情報を記録装置に記録する情報記録手段と、情報記録手段によって記録装置に記録された情報に基づいて、ユーザー端末に、該ユーザー端末を操作するユーザーが参加している交流グループの交流用画面を表示するための情報を送信する画面表示手段とを備えることを特徴とする。
本発明では、ビジネス交流支援装置は、第一の特定要素と、第二の特定要素とにより特定される複数の交流グループを一覧表示するとともに、各交流グループへのユーザーの参加状況を示す情報を表示する一覧表示手段をさらに備えるようにしてもよい。
一覧表示手段は、第一の特定要素を横軸に配置し、第二の特定要素を縦軸に配置した表形式の一覧画面を表示し、一覧画面上の第一の特定要素と第二の特定要素とが交わるセルに、第一の特定要素と第二の特定要素とによって特定される交流グループを割り当てることにより、第一の特定要素と、第二の特定要素とにより特定される複数の交流グループを一覧表示するようにしてもよい。
一覧表示手段は、各交流グループの参加ユーザー数に応じて、セルの表示形態を変更することにより、各交流グループへのユーザーの参加状況を示す情報を表示するようにしてもよい。
ユーザーによる前記セルの選択を受け付けるセル選択受付手段をさらに備え、グループ特定手段は、セル選択手段によって選択が受け付けられたセルに対応する交流グループを、ユーザーが参加を希望する交流グループとして特定するようにしてもよい。
セル選択手段によってセルの選択が受け付けられたときに、セルに対応する交流グループの参加ユーザーを一覧表示する参加ユーザー一覧表示手段をさらに備えるようにしてもよい。
参加ユーザー一覧表示手段によって表示された交流グループの参加ユーザーの中からユーザーによって選択されたユーザーに関する詳細情報を表示するユーザー情報表示手段をさらに備えるようにしてもよい。
情報記録手段によって記録装置に記録された情報に基づいて、ユーザー端末に、該ユーザー端末を操作するユーザーが参加している交流グループの交流用画面を表示するための情報を送信する画面表示手段をさらに備えるようにしてもよい。
ユーザーからの情報の投稿を受け付ける投稿受付手段をさらに備え、画面表示手段は、投稿受付手段によってユーザーからの投稿が受け付けられたときに、該ユーザーと同じ交流グループに参加している他のユーザーの交流用画面上に、ユーザーによって投稿された情報を表示するようにしてもよい。
交流グループの交流用画面上で、ユーザーから他の参加者への友達申請を受け付ける友達申請受付手段をさらに備え、画面表示手段は、交流グループの参加者のうち、友達申請が承認されたユーザーによって投稿された情報のみを交流用画面に表示するようにしてもよい。
交流グループの交流用画面上で、交流グループの参加ユーザー同士のチャット環境の提供、交流グループの参加ユーザー間でのＱ＆Ａ環境の提供、および交流グループに関連するニュースの提供の少なくとも１つを行う交流環境提供手段をさらに備えるようにしてもよい。
交流グループごとに、その交流グループに参加しているユーザーが作成したレポートの配布または販売を行うレポート提供手段をさらに備えるようにしてもよい。
交流グループごとに、その交流グループに関連する情報を提供するためのアプリケーションの配布または販売を行うアプリケーション提供手段をさらに備えるようにしてもよい。
本発明によるビジネス交流支援システムは、上記ユーザー端末と、上記ビジネス交流支援装置とを、通信回線を介して接続したことを特徴とする。
【発明の効果】
【０００６】
本発明によれば、ビジネス業界を事業領域で細分化した第一の特定要素と、ビジネス業界を業務機能で細分化した第二の特定要素とにより特定される複数の交流グループを設定し、ユーザーは、それらの内のいずれかの交流グループに参加して、他の参加者と交流を図ることができるため、自身が交流を図りたい人物を精度高く探すことができる。
【図面の簡単な説明】
【０００７】
【図１】ビジネス交流支援システム１０の一実施の形態の構成を示すブロック図である。
【図２】ビジネス交流支援サーバー２００の一実施の形態の構成を示すブロック図である。
【図３】交流グループ選択画面の具体例を示す図である。
【図４】交流グループへの参加受け付け時の処理の流れを示すフローチャート図である。
【図５】交流支援処理の流れを示すフローチャート図である。
【図６】情報閲覧処理の流れを示すフローチャート図である。
【発明を実施するための形態】
【０００８】
図１は、本実施の形態におけるビジネス交流支援システムの一実施の形態の構成を示すブロック図である。ビジネス交流支援システム１０は、システムの利用者であるユーザーが操作するユーザー端末１００と、ビジネス交流支援サーバー２００とが、インターネット等の通信回線を介して接続されている。
【０００９】
ユーザー端末１００としては、例えば、パーソナルコンピュータ（以下、「パソコン」と呼ぶ）の他、スマートフォン、携帯電話、タブレット端末といった種々の情報端末が用いられる。ユーザー端末１００として用いられるこれらの機器は公知のため、ここでは詳細な説明は省略する。なお、本実施の形態では、インターネットに１台のユーザー端末１００が接続されている例を示しているが、その台数は限定されない。
【００１０】
図２は、本実施の形態におけるビジネス交流支援サーバー２００の一実施の形態の構成を示すブロック図である。ビジネス交流支援サーバー２００は、操作部材２０１と、接続ＩＦ２０２と、制御装置２０３と、ＨＤＤ（ハードディスクドライブ）２０４と、モニタ２０５とを備えている。
【００１１】
操作部材２０１は、ビジネス交流支援サーバー２００の操作者によって操作される種々の装置、例えばキーボードやマウスを含む。
【００１２】
接続ＩＦ２０２は、ビジネス交流支援サーバー２００をインターネット等の通信回線に接続するためのインターフェースであり、例えば、インターネットに有線で接続するための有線ＬＡＮモジュールや、インターネットに無線で接続するための無線ＬＡＮモジュールなどが用いられる。
【００１３】
制御装置２０３は、ＣＰＵ、メモリ、およびその他の周辺回路によって構成され、ビジネス交流支援サーバー２００の全体を制御する。なお、制御装置２０３を構成するメモリは、例えばＳＤＲＡＭ等の揮発性のメモリである。このメモリは、ＣＰＵがプログラム実行時にプログラムを展開するためのワークメモリや、データを一時的に記録するためのバッファメモリとして使用される。例えば、接続ＩＦ２０２を介して読み込まれたデータは、バッファメモリに一時的に記録される。
【００１４】
ＨＤＤ２０４は、ビジネス交流支援サーバー２００が蓄える種々のデータや、制御装置２０３が実行するためのプログラムのデータ等を記録するための記録装置である。なお、ＨＤＤ２０４に記録されるプログラムのデータは、ＣＤ−ＲＯＭやＤＶＤ−ＲＯＭなどの記録媒体に記録されて提供され、使用者が当該記録媒体を用いてプログラムのデータをＨＤＤ２０４にインストールすることによって、制御装置２０３がプログラムを実行できるようになる。
【００１５】
モニタ２０５は、例えば液晶モニタであって、制御装置２０３から出力される種々の表示用データが表示される。
【００１６】
本実施の形態におけるビジネス交流支援システム１０では、ユーザーは、ユーザー端末１００を介してビジネス交流支援サーバー２００にアクセスし、情報発信や情報収集を行ったり、他のユーザーと情報交換をしたりすることができる。以下、本実施の形態におけるビジネス交流支援システム１０について、詳細に説明する。
【００１７】
本実施の形態では、ユーザーは、自身が知識を有しているビジネス業界内における特定の交流グループに参加することにより、同じ交流グループに参加しているユーザーとの交流が可能となる。このために、まず、ユーザーは、ユーザー端末１００を操作して、どの交流グループに参加するかを選択する必要がある。
【００１８】
ユーザーは、ビジネス交流支援システム１０を利用するためには、まず、ユーザー登録を行う必要がある。例えば、ユーザーは、ユーザー端末１００を操作してビジネス交流支援サーバー２００にアクセスし、モニタに表示されるユーザー登録画面上で、例えば、メールアドレス、パスワード、氏名等の必要事項を入力してユーザー登録を行う。ユーザー端末１００上で入力された上記情報は、インターネットを介してビジネス交流支援サーバー２００へ送信され、ユーザー情報として、ＨＤＤ２０４に記録される。
【００１９】
ユーザー登録を行った後は、登録時に入力したメールアドレスとパスワードとを用いてシステムにログインすることができる。ユーザーは、ログイン後にシステムの利用が可能となり、参加を希望する交流グループの選択を行うことができる。
【００２０】
ユーザーは、交流グループを選択するに際しては、まず、ログインを行った後に表示されるビジネス業界選択画面上で、自身が知識を有しているビジネス業界を選択する。ビジネス業界としては、例えば、スマートハウス業界、携帯電話業界、電気自動車業界、化学業界、蓄電池業界、金融業界、太陽光発電業界などの種々の業界が選択可能な業界として登録されており、ユーザーは、これらの中から自身が知識を有しているビジネス業界として最も適切なものを選択する。
【００２１】
各ビジネス業界は、さらに複数の交流グループに細分化されており、ユーザーは、選択したビジネス業界をさらに細分化した複数の交流グループの中から、参加を希望する少なくとも１つの交流グループを選択する。本実施の形態におけるビジネス交流支援システム１０では、各ビジネス業界は、あらかじめ、事業領域（バリューチェーン）と業務機能とを用いて細分化されて、複数の交流グループが設定されている。
【００２２】
ユーザーによってビジネス業界の選択が行われると、例えば、図３に示すような交流グループ選択画面がユーザー端末１００上に表示される。図３は、スマートハウス業界を事業領域と業務機能とを用いて細分化して設定された交流グループの具体例を示している。なお、スマートハウス業界は、スマートハウスを扱う業界であり、スマートハウスとは、エコガラス、太陽電池、蓄電池、高速光通信などを備え、これらとスマート家電やタブレットデバイス等を連携させた近未来型住宅をいう。
【００２３】
本実施の形態では、図３に示すように、特定のビジネス業界に対して、事業領域を横軸に配置し、業務機能を縦軸に配置した表形式の交流グループ選択画面が表示され、１つの事業領域と１つの業務機能とが交わる位置にあるセルが、その事業領域と業務機能とにより特定される詳細業界に相当し、該詳細業界単位に交流グループが設定されている。
【００２４】
例えば、図３に示す例では、事業領域の大分類として、スマートハウス設計・営業、機器の部材・材料・素材など、機器、各種工事・施行、ファイナンス、その他、顧客（ユーザー）が設定されている。また、機器に対しては中分類として、スマートメータ、ＥＭＳ、ＥＶ、電源・熱源、電池、住設建材、家電・照明、その他が設定されている。さらに、中分類の中には、小分類が設定されているものもある。具体的には、ＥＭＳに対しては小分類としてＨＥＭＳとＣＥＭＳが設定され、ＥＶに対しては小分類としてＥＶ電池とＥＶ充電池が設定されている。電源・熱源に対しては、小分類としてＰＶとヒートポンプとその他が設定されており、電池に対しては小分類として蓄電池と燃料電池が設定されている。住設建材に対しては小分類として住設機器と建材内外装とその他が設定されており、家電・照明に対しては、小分類としてスマート家電と照明が設定されている。
【００２５】
また、業務機能としては、開発・設計・技術など、商品企画・営業・マーケティングなど、生産技術・製造など、購買・調達など、デベロップメント・ファイナンス関係者、施工・工事関係者、法務・知的財産部門、他間接部門（広報・経理・人事など）、コンサルタント・アナリストなど、大学関係者・研究機関など、政治・自治体関係者など、ＯＢ・定年退職者など、その他（学生など）が設定されている。
【００２６】
なお、設定される事業領域と業務機能は、ビジネス業界によって異なり、これらはあらかじめシステムの管理者によって設定されて、その設定情報はＨＤＤ２０４に記録されている。制御装置２０３は、ユーザーによって選択されたビジネス業界に関連付けて記録されている事業領域と業務機能とを読み出して、図３に示す交流グループ選択画面を生成し、交流グループ選択画面を表示するための情報をユーザー端末１００へ送信する。
【００２７】
詳細業界は、事業領域の最も細かい分類と、業務機能とにより特定される。すなわち、小分類が設定されている事業領域の場合は、事業領域の小分類と業務機能とが交わる位置にあるセルが、それらにより特定される交流グループとなる。また、中分類が最も細かい分類である事業領域の場合は、事業領域の中分類と業務機能とが交わる位置にあるセルが、それらにより特定される交流グループとなる。また、大分類が最も細かい分類である事業領域の場合は、事業領域の大分類と業務機能とが交わる位置にあるセルが、それらにより特定される交流グループとなる。
【００２８】
また、各セルは、対応する交流グループに参加しているユーザー数に応じて表示形態が異なっている。図３に示す例では、セルに付された色の濃淡によって参加ユーザー数を表している。すなわち、参加ユーザー数が多い交流グループに対応するセルほど、セル内の色が濃くなるように、セル内の色の濃さが変化している。
【００２９】
ユーザーは、この図３に示す交流グループ選択画面において、まず、システムのモードを交流グループを選択するためのモードに切り替える。例えば、交流グループ選択画面上にモード切替用のボタンを配置しておき、ユーザーは、マウスを操作してモードボタンをクリックすることにより、交流グループを選択するためのモードと、後述するように交流グループに関する情報を閲覧するモードとを切り替えることができる、
【００３０】
ユーザーは、システムのモードを交流グループを選択するためのモードに切り替えた後に、さらにマウスを操作して参加を希望する交流グループに対応するセルをクリックする。例えば、ユーザーは、横軸に設定された事業領域と縦軸に設定された業務機能とに基づいて、自身が経験や知識を有する詳細業界を特定し、特定した詳細業界に関する交流グループに対応するセルをクリックすることにより、その交流グループに参加することができる。
【００３１】
図４は、本実施の形態における交流グループへの参加受け付け時の処理の流れを示すフローチャートである。図４に示す処理は、ユーザー端末１００上でユーザーによってログインが行われると起動するプログラムとして、制御装置２０３によって実行される。
【００３２】
ステップＳ１０において、制御装置２０３は、インターネットを介して、アクセス元のユーザー端末１００に対して、不図示のビジネス業界選択画面を表示するための情報を送信することにより、ユーザー端末１００のモニタ上にビジネス業界選択画面を表示させる。その後、ステップＳ２０へ進む。
【００３３】
ステップＳ２０では、制御装置２０３は、ユーザー端末１００上でビジネス業界が選択されたか否かを判断する。例えば、ビジネス業界選択画面上でビジネス業界が選択されると、ユーザー端末１００からビジネス交流支援サーバー２００に対して、選択されたビジネス業界を特定するためのビジネス業界情報が送信される。制御装置２０３は、ユーザー端末１００から該ビジネス業界情報を受信したことを検出した場合に、ユーザー端末１００上でビジネス業界が選択されたと判断する。ステップＳ２０で肯定判断した場合には、ステップＳ３０へ進む。
【００３４】
ステップＳ３０では、制御装置２０３は、ＨＤＤ２０４に記録されているビジネス業界ごとの事業領域と業務機能の設定情報を読み出して、ステップＳ２０で選択されたビジネス業界に対して設定されている事業領域と業務機能を特定する。その後、ステップＳ４０へ進む。
【００３５】
ステップＳ４０では、制御装置２０３は、ステップＳ３０で特定した事業領域と業務機能とに基づいて、図３に示した交流グループ選択画面を生成し、交流グループ選択画面を表示するための情報をユーザー端末１００へ送信する。このとき、制御装置２０３は、後述するようにＨＤＤ２０４に記録されている参加交流グループ情報に基づいて、各交流グループに参加しているユーザーの人数を特定し、特定した参加ユーザー数に応じた濃さとなるように、各セルの色の濃さを設定する。その後、ステップＳ５０へ進む。
【００３６】
ステップＳ５０では、制御装置２０３は、ユーザー端末１００上でいずれかのセルが選択されたか否かを判断する。例えば、交流グループ選択画面上でいずれかのセルが選択されると、ユーザー端末１００からビジネス交流支援サーバー２００に対して、選択されたセルに対応する詳細業界を特定するための詳細業界情報が送信される。制御装置２０３は、ユーザー端末１００から該詳細業界情報を受信したことを検出した場合には、ユーザー端末１００上でセルの選択が行われたと判断する。ステップＳ５０で肯定判断した場合には、ステップＳ６０へ進む。
【００３７】
ステップＳ６０では、制御装置２０３は、ステップＳ５０で受信した詳細業界情報と、上述したユーザー情報とを関連付けた参加交流グループ情報をＨＤＤ２０４に記録する。これにより、ユーザーがどの交流グループに参加しているかを特定することが可能となる。その後、処理を終了する。
【００３８】
以上の処理により交流グループに参加したユーザーは、自身が参加した交流グループに参加している他のユーザーと、ビジネス交流支援システム１０を介して交流を図ることができる。なお、ユーザーは、複数のグループに参加することが可能であり、図３に示した交流グループ選択画面上で参加済みの交流グループに対応するセルをクリックすることにより、その交流グループ内での他の参加者との交流が可能となる。
【００３９】
例えば、ユーザーが交流グループ選択画面上で参加済みの交流グループに対応するセルをクリックすると、ユーザー端末１００上には、ユーザーが種々の情報を投稿したり、他のユーザーが投稿した内容を閲覧することができる交流用画面が表示される。ユーザーは、該交流用画面上に設けられた入力領域内に、発信したい情報を入力して投稿ボタンをクリックすることにより、自身の知識に基づく種々の情報を発信することができる。このようにしてユーザーによって投稿された情報は、同じ投稿グループに参加している他のユーザーの交流用画面上に配信されて表示されえる。これにより、あるユーザーによる投稿内容を交流グループ内で共有することができる。
【００４０】
また、各交流グループの交流用画面上では、交流グループに参加しているユーザー同士でチャットを行うためのチャット環境や、交流グループに参加しているユーザーの誰かが質問をし、他のユーザーがその質問に回答するためのＱ＆Ａ環境や、その交流グループに関連するニュース情報を自動的に配信するためのニュース配信環境等が提供される。これによって、交流グループ内におけるユーザー同士の交流の活性化を促すことができる。
【００４１】
また、各交流グループの交流用画面上では、その交流グループに参加しているユーザーが作成したレポートの配布または販売を行うための環境や、その交流グループに関連する情報を提供するためのアプリケーションの配布または販売を行うための環境も提供される。例えば、自身が作成したレポートやアプリケーションの配布または販売を行うことを希望するユーザーは、交流用画面上に用意された配布または販売用ページ上にレポートやアプリケーションのデータをアップロードすることにより、それらの配布または販売を行うことができる。なお、アップロードを行うユーザーは、配布又は販売を同じ交流グループの参加者に対してのみ行うか、他の交流グループの参加者に対しても行うかを任意に指定することができる。また、配布又は販売を他の交流グループの参加者に対しても行う場合には、配布又は販売を行う交流グループを任意に選択することも可能である。
【００４２】
他のユーザーのレポートやアプリケーションの入手または購入を希望するユーザーは、交流用画面上に用意された配布または販売用ページからそれらのデータをダウンロードすることができる。なお、購入をする場合には、購入者は、あらかじめ決められた決済方法により代金を支払う必要がある。この決済方法については、公知の手法を用いるため、ここでは詳細な説明を終了する。
【００４３】
図５は、本実施の形態における交流支援処理の流れを示すフローチャートである。図５に示す処理は、交流グループへの参加済みユーザーのユーザー端末１００上で、図３に示した交流グループ選択画面が表示されると起動するプログラムとして、制御装置２０３によって実行される。
【００４４】
ステップＳ１１０において、制御装置２０３は、ユーザーによって、交流グループ選択画面上で参加済みの交流グループに対応するセルがクリックされて選択されたか否かを判断する。例えば、ユーザー端末１００において、ユーザーによって交流グループ選択画面上でいずれかのセルが選択された場合には、ユーザー端末１００からビジネス交流支援サーバー２００に対して、選択されたセルに対応する詳細業界を特定するための詳細業界情報が送信される。制御装置２０３は、ユーザー端末１００から該詳細業界情報を受信したことを検出した場合には、ＨＤＤ２０４内の参加交流グループ情報を参照して、選択された交流グループにそのユーザーが参加済みであるか否かを判断する。
【００４５】
ステップＳ１１０で肯定判断した場合には、ステップＳ１２０へ進み、制御装置２０３は、ステップＳ１１０でクリックされたことを検出した交流グループの交流用画面を生成し、交流用画面を表示するための情報をユーザー端末１００へ送信する。これにより、ユーザー端末１００上には、ユーザーが選択したセルに対応する交流グループの交流用画面が表示される。その後、ステップＳ１３０へ進む。
【００４６】
ステップＳ１３０では、制御装置２０３は、ユーザーによって、交流用画面上に設けられた入力領域内に情報が入力されて投稿ボタンがクリックされたことにより、情報が投稿されたか否かを判断する。ステップＳ１３０で肯定判断した場合には、ステップＳ１４０へ進む。
【００４７】
ステップＳ１４０では、制御装置２０３は、ユーザーによって投稿された情報を、同じ投稿グループに参加している他のユーザーの交流用画面上に配信して表示する。その後、ステップＳ１５０へ進む。
【００４８】
ステップＳ１５０では、制御装置２０３は、ユーザーによって、交流用画面上で上述した種々の交流のための操作、例えば、チャット、Ｑ＆Ａ、レポートやアプリケーションのアップロードまたはダウンロード等が行われたか否かを判断する。ステップＳ１５０で肯定判断した場合には、ステップＳ１６０へ進む。
【００４９】
ステップＳ１６０では、制御装置２０３は、ユーザーによって行われた交流のための操作に応じた処理を実行する。なお、チャット、Ｑ＆Ａ、レポートやアプリケーションのアップロードまたはダウンロード等は、公知の技術であるため、ここでは詳細な説明を省略する。その後、処理を終了する。
【００５０】
以上、ユーザーが交流グループに参加して交流を行う場合の処理について説明した。本実施の形態におけるビジネス交流支援システム１０では、ログインを行ったユーザーは、各交流グループについて、ユーザーの参加状況や、参加しているユーザーに関する情報を閲覧することも可能である。情報の閲覧を行うためには、ユーザーは、図３に示した交流グループ選択画面において、上述したモード切替用のボタンを操作して、システムのモードを情報を閲覧するためのモードに切り替える必要がある。
【００５１】
システムのモードを情報を閲覧するためのモードに切り替えた後は、ユーザーは、交流グループ選択画面上で、いずれかのセルを選択すると、そのセルに対応する交流グループに参加しているユーザーの一覧を閲覧することができる。そして、一覧表示されたユーザーのいずれか一人を選択すると、そのユーザーに関する詳細情報を閲覧することができる。ユーザーの詳細情報としては、あらかじめユーザーが登録したプロフィール情報などの閲覧が可能である。なお、ユーザーは、ユーザー登録を行った後にプロフィール情報の登録が可能であり、プロフィール情報は、ＨＤＤ２０４に記録されているユーザー情報に関連付けて記録される。
【００５２】
図６は、本実施の形態における情報閲覧処理の流れを示すフローチャートである。図６に示す処理は、システムのモードが情報を閲覧するためのモードに切り替えられると起動するプログラムとして、制御装置２０３によって実行される。
【００５３】
ステップＳ２１０において、制御装置２０３は、交流グループ選択画面上でいずれかのセルが選択されたか否かを判断する。ステップＳ２１０で肯定判断した場合には、ステップＳ２２０へ進む。
【００５４】
ステップＳ２２０では、制御装置２０３は、ステップＳ２１０で選択されたセルに対応する交流グループを特定し、ＨＤＤ２０４に記録されている参加交流グループ情報に基づいて、特定した交流グループの参加ユーザーを特定する。そして、制御装置２０３は、特定した参加ユーザーをユーザー端末１００上に一覧表示する。その後、ステップＳ２３０へ進む。
【００５５】
ステップＳ２３０では、制御装置２０３は、ユーザーによって、一覧表示された参加ユーザーの中からいずれか一人が選択されたか否かを判断する。ステップＳ２３０で肯定判断した場合には、ステップＳ２４０へ進む。
【００５６】
ステップＳ２４０では、制御装置２０３は、ＨＤＤ２０４に記録されているプロフィール情報に基づいて、ステップＳ２３０で選択されたユーザーの詳細情報を表示する。その後、処理を終了する。
【００５７】
以上説明した本実施の形態によれば、以下のような作用効果を得ることができる。
（１）制御装置２０３は、ユーザー端末１００からの指示に基づいて、ユーザーが知識を有しているビジネス業界の選択を受け付け、受け付けたビジネス業界を事業領域と業務機能で細分化した交流グループを設定するようにした。そして、図３に示した交流グループ選択画面を表示するための情報をユーザー端末１００へ送信して、ユーザー端末１００からの指示に基づいて、複数の交流グループの中から、ユーザーが参加を希望する交流グループを特定し、特定した交流グループへの参加者として、ユーザーを特定するための情報をＨＤＤ２０４に記録するようにした。これによって、ビジネス業界を事業領域と業務機能で細分化して特定される複数の交流グループを設定することができるため、ユーザーは、ビジネス業界をより細分化した詳細業界単位に交流グループを選択することが可能となる。
【００５８】
（２）制御装置２０３は、図３に示した交流グループ選択画面において、ＨＤＤ２０４に記録されている参加交流グループ情報に基づいて、各交流グループに参加しているユーザーの人数を特定し、特定した参加ユーザー数に応じた濃さとなるように、各セルの色の濃さを設定するようにした。これによって、ユーザーは、交流グループ選択画面上で、各交流グループへのユーザーの参加状況を把握することができる。
【００５９】
（３）図３に示したように、特定のビジネス業界に対して、事業領域を横軸に配置し、業務機能を縦軸に配置した表形式の交流グループ選択画面が表示され、１つの事業領域と１つの業務機能とが交わる位置にあるセルが、その事業領域と業務機能とにより特定される交流グループとなるように、複数の交流グループを一覧表示した交流グループ選択画面を表示するようにした。これによって、ユーザーは、容易に特定の交流グループを見つけることができる。
【００６０】
（４）、制御装置２０３は、交流グループ選択画面上でユーザーによって選択されたセルに対応する交流グループを、ユーザーが参加を希望する交流グループとして特定するようにした。これによって、ユーザーは、交流グループ選択画面上でセルを選択するだけで、容易に参加する交流グループを選択することができる。
【００６１】
（５）システムのモードを情報を閲覧するためのモードに切り替えた後は、制御装置２０３は、ユーザーによって交流グループ選択画面上でセルが選択されたときに、そのセルに対応する交流グループの参加ユーザーを一覧表示するようにした。これによって、ユーザーは、各交流グループにどのようなユーザーが参加しているかを把握することができる。
【００６２】
（６）制御装置２０３は、一覧表示された交流グループの参加ユーザーの中からユーザーによって選択されたユーザーに関する詳細情報を表示するようにした。これによって、ユーザーは、各交流グループに参加している各ユーザーの詳細情報を確認することができる。
【００６３】
（７）制御装置２０３は、ユーザー端末１００に、該ユーザー端末１００を操作するユーザーが参加している交流グループの交流用画面を表示するための情報を送信するようにした。これによって、ユーザー端末１００には交流用画面が表示され、ユーザーは、該交流画面上で他のユーザーと交流を図ることができる。
【００６４】
（８）制御装置２０３は、交流用画面上でユーザーからの情報の投稿を受け付け、投稿された情報を、同じ投稿グループに参加している他のユーザーの交流用画面上に配信して表示するようにした。これによって、ユーザーによる投稿内容を交流グループ内で共有することができる。
【００６５】
（９）制御装置２０３は、交流グループの交流用画面上で、交流グループの参加ユーザー同士のチャット環境の提供、交流グループの参加ユーザー間でのＱ＆Ａ環境の提供、および交流グループに関連するニュースの提供を行うようにした。これによって、ユーザーは、交流グループ内で様々な方法で他のユーザーと交流を図ることができる。
【００６６】
（１０）制御装置２０３は、各交流グループの交流用画面上で、その交流グループに参加しているユーザーが作成したレポートの配布または販売を行うための環境や、その交流グループに関連する情報を提供するためのアプリケーションの配布または販売を行うための環境も提供するようにした。これによって、ユーザーは、他のユーザーに対して、自身が作成したレポートやアプリケーションの配布または販売を行うことができる。
【００６７】
―変形例―
なお、上述した実施の形態のビジネス交流支援システムは、以下のように変形することもできる。
（１）上述した実施の形態では、ユーザーは、自身が参加した交流グループに参加している他のユーザーと、ビジネス交流支援システム１０を介して交流を図ることができる例について説明した。しかしながら、制御装置２０３は、ユーザーが参加している交流グループ内で、他のユーザーに対する友達申請を受け付け、友達申請を受けたユーザーが友達となることを承認した場合に、友達となったユーザー間での交流を許可するようにしてもよい。例えば、制御装置２０３は、ユーザーによって交流画面上で情報が投稿された場合には、投稿された情報を、同じ投稿グループ内で友達として承認されている他のユーザーの交流用画面上に配信して表示するようにすればよい。同様に、チャット、Ｑ＆Ａ、レポートやアプリケーションのアップロードまたはダウンロードといった他の交流も、友達との間でのみ行えるようにしてもよい。あるいは、情報を発信するユーザーが、その情報の公開先を友達のみとするか、交流グループの参加ユーザー全員とするかを任意に設定できるようにしてもよい。
【００６８】
（２）上述した実施の形態では、制御装置２０３は、交流グループ選択画面において、各交流グループに参加しているユーザーの人数を特定し、特定した参加ユーザー数に応じた濃さとなるように、各セルの色の濃さを設定する例について説明した。しかしながら、交流グループ選択画面では、他の方法により参加ユーザー数を表現してもよい。例えば、参加ユーザー数に応じてセルの色を変えたり、セルの中に参加ユーザー数を表示するといったようにセルの表示形態を変更することにより、そのセルに対応する交流グループへの参加ユーザー数を表すようにしてもよい。
【００６９】
（３）上述した実施の形態では、制御装置２０３は、交流グループの交流用画面上で、交流グループの参加ユーザー同士のチャット環境の提供、交流グループの参加ユーザー間でのＱ＆Ａ環境の提供、および交流グループに関連するニュースの提供を行う例について説明した。しかしながら、制御装置２０３は、これらのうち、少なくとも１つの提供を行うようにすればよい。
【００７０】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【００７１】
１０  ビジネス交流支援システム、１００  ユーザー端末、２００  ビジネス交流支援サーバー、２０１  操作部材、２０２  接続ＩＦ、２０３  制御装置、２０４  ＨＤＤ、２０５  モニタ
【図１】
0005490161.tif 000002
【図２】
0005490161.tif 000003
【図３】
0005490161.tif 000004
【図４】
0005490161.tif 000005
【図５】
0005490161.tif 000006
【図６】
0005490161.tif 000007